(57)【要約】【課題】本発明は、ダビング操作を行う際にユーザーのニーズにきめ細かく対応できる録画再生装置を提供することを目的とするものである。【解決手段】制御部１は、再生部２及び録画部３を制御して第一記録媒体から第二記録媒体に、又はその逆方向にダビング処理を行う。ダビング処理を行う場合に、再生側の記録モードに対応させて録画側の記録モードを予め設定した対応データテーブル１３を記憶しておき、制御部１は、再生側の記録モードを判別して対応データテーブル１３から対応する録画側の記録モードを読み出しダビング処理を行う。【選択図】図１
2005142677.tif 000002
【特許請求の範囲】
【請求項１】
記録媒体の記録情報を再生する再生部と、記録媒体に記録情報を録画する録画部と、前記再生部及び前記録画部を制御する制御部を備えた録画再生装置において、前記制御部は、前記再生部において再生可能な再生記録モードに対応して前記録画部において録画可能な録画記録モードを記憶する記憶手段と、前記再生部において再生される記録情報の再生記録モードを判別する判別手段と、該判別手段が判別した再生記録モードに対応する録画記録モードを前記記憶手段より読み出して前記録画部を制御する録画制御手段とを備えていることを特徴とする録画再生装置。
【請求項２】
記録媒体の記録情報を再生する再生部と、記録媒体に記録情報を録画する録画部と、前記再生部及び前記録画部を制御する制御部を備えた録画再生装置において、前記制御部は、前記再生部において再生される記録情報の種別情報に対応して前記録画部において録画可能な録画記録モードを記憶する記憶手段と、前記再生部において再生される記録情報の種別情報を判別する判別手段と、該判別手段が判別した種別情報に対応する録画記録モードを前記記憶手段より読み出して前記録画部を制御する録画制御手段とを備えていることを特徴とする録画再生装置。
【発明の詳細な説明】
【技術分野】
【０００１】
本発明は、記録媒体を再生するとともに別の記録媒体にその再生された情報を録画可能な録画再生装置に関する。
【背景技術】
【０００２】
録画再生装置は、一般に記録媒体に記録された情報を別の記録媒体に記録する、いわゆるダビングの機能を備えている。記録媒体としては、ＶＣＲ等のビデオテープやＤＶＤ等のディスクがあるが、それぞれのタイプ毎に記録モードが異なっている。例えば、アナログ記録モード及びデジタル記録モードに大別される。そして、アナログ記録モードでは、例えばＶＨＳ又はＳ−ＶＨＳにおいてＳＰ（標準モード）、ＬＰ（２倍モード）、ＥＰ（３倍モード）、５倍モードに細分化されており、デジタル記録モードでは、ＸＰ（高画質モード）、ＳＰ（標準モード）、ＬＰ（長時間モード）、ＥＰ（長時間モード）に細分化されている。このように、様々な記録モードが存在することから、再生する記録モードをチェックし録画する記録モードを設定する操作が必要になってくる。
【０００３】
こうした操作を手作業で行うことは非常に手間がかかるため、それを装置側で対応するようにすることが提案されている。例えば、特許文献１では、ＶＣＲにおいて磁気テープの搬送速度から再生モードを判別してデジタル記録を行う際の画質水準を決定するようにした点が記載されている。また、特許文献２では、磁気テープから磁気テープに記録情報をダビングする際に再生側の記録モードに合せて自動的に記録側の記録モードを設定するようにした点が記載されている。また、特許文献３では、放送される番組の種別を判別して判別された種別に対応する録画モードを対応テーブルから読み出して録画モードを決定する点が記載されている。
【特許文献１】特開２００１−１６５４０号公報
【特許文献２】特開平８−２２３２１号公報
【特許文献３】特開２００１−３６８６１号公報
【発明の開示】
【発明が解決しようとする課題】
【０００４】
従来の録画再生装置では、再生側の記録モードに合せて自動的に装置側で録画する記録モードを決定しているが、ユーザーの要望に十分対応しているとはいいがたい。例えば、再生側がアナログ記録されている場合にデジタル記録では記録容量が小さくなる記録モードで記録しておきたい−といったユーザー側のニーズにきめ細かく対応することができない。また、特許文献３では、番組種別により録画モードが決められるようになっているが、録画後の記録情報をどのようにダビングされるのか記載されておらず、ダビング操作においてユーザーのニーズに対応しているとはいえない。
【０００５】
そこで、本発明は、ダビング操作を行う際にユーザーのニーズにきめ細かく対応できる録画再生装置を提供することを目的とするものである。
【課題を解決するための手段】
【０００６】
本発明に係る録画再生装置は、記録媒体の記録情報を再生する再生部と、記録媒体に記録情報を録画する録画部と、前記再生部及び前記録画部を制御する制御部を備えた録画再生装置において、前記制御部は、前記再生部において再生可能な再生記録モードに対応して前記録画部において録画可能な録画記録モードを記憶する記憶手段と、前記再生部において再生される記録情報の再生記録モードを判別する判別手段と、該判別手段が判別した再生記録モードに対応する録画記録モードを前記記憶手段より読み出して前記録画部を制御する録画制御手段とを備えていることを特徴とする。
【０００７】
本発明に係る別の録画再生装置は、記録媒体の記録情報を再生する再生部と、記録媒体に記録情報を録画する録画部と、前記再生部及び前記録画部を制御する制御部を備えた録画再生装置において、前記制御部は、前記再生部において再生される記録情報の種別情報に対応して前記録画部において録画可能な録画記録モードを記憶する記憶手段と、前記再生部において再生される記録情報の種別情報を判別する判別手段と、該判別手段が判別した種別情報に対応する録画記録モードを前記記憶手段より読み出して前記録画部を制御する録画制御手段とを備えていることを特徴とする。
【発明の効果】
【０００８】
上記のような構成を有することで、再生部において再生可能な再生記録モードに対応して録画部において録画可能な録画記録モードを記憶しておき、再生される再生記録モードを判別してそれに対応する録画記録モードで録画するようにしているので、ユーザーが予め再生記録モードに対応した録画記録モードを設定しておけば、ユーザーのニーズに応じたダビングが行えるようになる。したがって、例えば、ディスクにできるだけ多くの番組等のデータをダビングしたい場合やＣＤ、ＤＶＤ又はＨＤＤ等のディスクに応じてダビングする記録モードを設定したい場合にも、ユーザーのニーズに対応してきめ細かく設定することができる。
【０００９】
また、記録情報の種別情報、例えば、ジャンル別、記録日時別又は録画時間別といった情報により区分けしてそれぞれ録画記録モードを対応させて記憶しておき、記録情報の再生時にこうした種別情報を読み出して判別し、判別された種別情報に対応した録画記録モードで録画するようにすれば、例えば、映画だけを高画質でダビングしたり、ある１週間の特集番組だけ別の記録モードでダビングしたり、録画時間の長い記録情報は記録容量の小さくなる記録モードでダビングしたりすることが可能となる。したがって、多様なユーザーニーズにもきめ細かく対応することができる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態に関する全体ブロック図を示している。制御部１は、装置全体の制御を行い、再生部２は、それぞれ第一記録媒体の読取／書込み装置４及び第二記録媒体の読取／書込み装置５に対して読取処理を行って記録情報を再生し、録画部３は、読取／書込み装置４及び５に対して記録情報の書込み処理を行う。表示処理部６は、制御部１又は再生部３から送信された映像情報及び音声情報を表示装置７に表示する。記憶部８は、プログラムやデータを記憶しており、操作情報受信部９は、リモコン１０で操作されたキー情報を受信して制御部１に送信する。
【００１２】
ＴＶ信号に基づき表示制御を行う場合には、アンテナ１１からチューナ１２を介して受信されたＴＶ信号は制御部１に入力されて表示処理部６に送信され、表示装置７に表示されるようになる。そして、テレビジョンの番組を録画したい場合には、制御部１から録画部３にＴＶ信号を送信して、読取／書込み装置４又は５を動作させて第一記録媒体又は第二記録媒体に録画する。
【００１３】
ダビング処理を行う場合には、制御部１は、再生部２に指令信号を送信して再生処理をさせる。再生部２は、その際に第一記録媒体又は第二記録媒体のいずれか再生側の読取／書込み装置４又は５を動作させて記録情報を再生する。それと並行して、制御部１は、録画部３に指令信号を送信して再生部２において再生された記録情報を第一記録媒体又は第二記録媒体のいずれか録画側の読取／書込み装置４又は５を動作させて録画処理する。
【００１４】
ダビング処理する際に、制御部１は、対応データテーブル１３に基づいて処理を行う。対応データテーブル１３は、図２に示すように、再生側の記録モードに対応して録画側の記録モードが記憶されたテーブルで、例えば、再生側の記録媒体の記録モードがＳ−ＶＨＳのＳＰの場合録画側の記録モードはＤＶＤのＸＰで録画するように設定される。
【００１５】
対応データテーブル１３に設定される図２のような記録モードの対応関係は、操作者がリモコン１０を用いて入力することができる。図３（ａ）に示すように、操作者はリモコン１０を操作してメニュー画面を表示し、ダビングモード設定を選択する。そして、図３（ｂ）の設定画面を表示し、再生側の記録モードと録画側の記録モードの対応関係を入力する。この場合記録モード一覧から選択するようにしてもよいし、選択キーを操作して順次装置及び記録モードを表示させて決定するようにしてもよい。こうして入力されたデータは、操作情報受信部９から制御部１に送信されて、対応データテーブル１３に格納されて記憶される。対応データテーブル１３の対応関係に関するデータは、装置の電源が停止される場合には記憶部８に送信されて記憶保持される。
【００１６】
図４は、制御部１でのダビング処理フローを示している。ダビング処理が開始されると（Ｓ１００）、まずダビング方向の選択が行われる（Ｓ１０１）。例えば、第一記録媒体がビデオテープで第二記録媒体がＤＶＤの場合で、ビデオテープに記録された記録情報をＤＶＤにダビングするときは１→２が選択される。逆の場合には２→１が選択される。
【００１７】
次に、再生側の記録媒体がアナログ記録かデジタル記録かチェックされる（Ｓ１０２）。アナログ記録の場合は一旦再生しないと記録モードが判別できないため、まずアナログフラグをオンして（Ｓ１０３）テスト再生を行う（Ｓ１０４）。そして、再生側の記録モードが判別される（Ｓ１０５）。デジタル記録の場合には付加情報から判別する。
【００１８】
判別された再生側の記録モードから対応データテーブルに基づいて録画側の記録モードが読み出され（Ｓ１０６）、録画側の記録モードが設定される（Ｓ１０７）。そして、アナログフラグがオンとなっているかチェックされ（Ｓ１０８）、アナログフラグがオンの場合はＳ１０４のテスト再生により再生位置が進んでいるため再生開始位置に戻す処理をして（Ｓ１０９）アナログフラグをクリアする（Ｓ１１０）。以上のような処理を行って対応データテーブルに従って録画側の記録モードを設定した後ダビング処理が行われる（Ｓ１１１）。
【００１９】
以上説明した例では、対応データテーブル１３に再生側の記録モードと録画側の記録モードを対応させて記憶しておき、再生側の記録モードを判別して録画側の記録モードを設定しているが、再生側に記録された記録情報に関する種別情報に対応させて録画側の記録モードを設定することもできる。
【００２０】
例えば、図５は、再生側の記録情報に関する種別情報として映画、ドラマ等のジャンルに対応させて録画側の記録モードを設定している。ジャンルに関する種別情報は、放送番組の場合にはＥＰＧ（電子プログラムガイド）等のデータを用いて取得することができる。また、デジタル記録の場合にはＴＯＣ（Table Of Contents）等のデータを用いて取得することができる。また、図６に示すように再生側の記録情報のファイル一覧情報から、例えば、記録日時や録画時間に関する情報を用いてそれに対応する録画側の記録モードを設定するようにしてもよい。録画時間の場合には、時間の長短によってダビングする際の記録モードを設定したり、特定の日時の場合の記録情報をダビングする際に記録モードを設定することができるようになる。
【００２１】
図７には、設定画面の別の例を示している。この例では、メニュー形式で再生側の記録モード又は種別情報が設定できる。入力欄２０には、例えば「記録モード」、「ジャンル」、「日時」又は「録音時間」といった項目名が表示されてアイコン２１により選択できるようになっている。そして、入力欄２０の項目が決定されると、その項目内の設定情報が入力欄２２に表示される。例えば、「記録モード」の場合には、「HDD SP」、「VHS EP」・・・というように選択可能な記録モードが表示され、「ジャンル」の場合には「映画」、「ドラマ」・・・というように選択可能なジャンルが表示される。同様に「日時」及び「録音時間」の場合にも選択可能な範囲が表示され、アイコン２３により選択されて決定される。
【００２２】
録画側の記録モードの設定では、まず入力欄２４には、「ＨＤＤ」、「ＤＶＤ」又は「ＣＤ」といった選択可能な機種が表示され、アイコン２５により選択されて決定される。入力欄２４の機種が決定されると、入力欄２６にその機種で選択可能な記録モードが表示されるので、アイコン２７により選択して決定する。
【００２３】
以上のように、ユーザーの様々なニーズに合せてダビングを行う際の録画側の記録モードが設定できる。
【図面の簡単な説明】
【００２４】
【図１】本発明に係る実施形態に関するブロック構成図である。
【図２】本発明に係る実施形態の対応データテーブルに関する説明図である。
【図３】対応データテーブルの設定画面を示す概略図である。
【図４】本発明に係る実施形態の処理フローに関するフロー図である。
【図５】本発明に係る実施形態の別の対応データテーブルに関する説明図である。
【図６】ファイル一覧を例示した説明図である。
【図７】対応データテーブルの別の設定画面を示す概略図である。
【符号の説明】
【００２５】
１    制御部
２    再生部
３    録画部
４    読取／書込み装置
５    読取／書込み装置
６    表示処理部
７    表示装置
８    記憶部
９    操作情報受信部
10    リモコン
11    アンテナ
12    チューナ
13    対応データテーブル
【図１】
2005142677.tif 000003
【図２】
2005142677.tif 000004
【図３】
2005142677.tif 000005
【図４】
2005142677.tif 000006
【図５】
2005142677.tif 000007
【図６】
2005142677.tif 000008
【図７】
2005142677.tif 000009